(57)【要約】【課題】必要な部品点数が少なく、低コストに製造することが可能で、小型薄型に適しているピックアップ装置を提供する。【解決手段】ピックアップ装置１において、立ち上げミラー１１は、略平行な透明基板１１Ａの両面にそれぞれミラー（第１のミラーと第２のミラー）が形成されており、一方の面（表面）に形成されたダイクロイックミラー１１Ｂ（第１のミラー）は青色レーザー光を反射し、赤色レーザー光を透過するように形成され、他方の面（裏面）に備えられたホログラムミラー１１Ｃ（第２のミラー）は、赤色レーザー光を反射するように形成される。【選択図】　　　　図１
2004062953.tif 000002
【特許請求の範囲】
【請求項１】
波長帯域の異なる２つの光源と、前記２つの光源からの光を反射する立ち上げミラーと、前記立ち上げミラーが反射した光を情報記録媒体上に集光する対物レンズとを有し、
前記立ち上げミラーは、透明基板の両面にそれぞれミラーを備え、
前記透明基板の一方の面に備えられた第１のミラーは、前記２つの光源のうち波長の短い帯域の光源の光を反射し、前記２つの光源のうち波長の長い帯域の光源の光を透過するように形成され、前記透明基板の他方の面に備えられた第２のミラーは、前記波長の長い帯域の光源の光を反射するように形成され、
前記第１のミラーが対物レンズに対面するように前記立ち上げミラーが配置されたことを特徴とするピックアップ装置。
【請求項２】
前記波長の短い帯域の光源は波長帯域が４０５ｎｍ付近の光を発生させる光源であり、前記波長の長い帯域の光源は波長帯域が６５０ｎｍ付近の光を発生させる光源であることを特徴とする請求項１に記載のピックアップ装置。
【請求項３】
前記波長の長い帯域の光源は、波長帯域が６５０ｎｍ付近の光と、波長が７８０ｎｍ付近の光とを発生させる光源であることを特徴とする請求項３に記載のピックアップ装置。
【請求項４】
前記波長の短い帯域の光源から前記立ち上げミラーに入射する光の光束中心は、前記波長の長い帯域の光源から前記立ち上げミラーに入射する光の光束中心よりも、前記対物レンズの方向へずれるように構成されたことを特徴とする請求項１〜３のいずれかに記載のピックアップ装置。
【請求項５】
前記第１のミラーはダイクロイックミラーであることを特徴とする請求項１〜４にいずれかに記載のピックアップ装置。
【請求項６】
前記第２のミラーはホログラムミラーであることを特徴とする請求項１〜５のいずれかに記載のピックアップ装置。
【請求項７】
前記ホログラムミラーのホログラムは、ＤＶＤの記録再生時に前記対物レンズにより発生する収差を補正する回折機能を有するパターンが形成されたことを特徴とする請求項６に記載のピックアップ装置。
【請求項８】
前記ホログラムミラーは、ガラスとプラスチックとのうち少なくとも１つを選択して構成されたことを特徴とする請求項６または７に記載のピックアップ装置。
【請求項９】
前記ホログラムミラーのホログラムパターンは、ＤＶＤ再生に適した開口寸法に制限され、前記ホログラムパターンが形成された領域以外は、前記対物レンズの集光に寄与しないパターンが形成されたことを特徴とする請求項６〜８のいずれかに記載のピックアップ装置。
【請求項１０】
前記ホログラムパターンは、略鋸歯状の形状を有していることを特徴とする請求項６〜９のいずれかに記載のピックアップ装置。
【請求項１１】
前記第２のミラーは非球面形状を有する非球面ミラーであることを特徴とする請求項１〜５のいずれかに記載のピックアップ装置。
【請求項１２】
前記非球面ミラーの非球面形状は、情報記録媒体を記録再生するときに前記対物レンズで発生する収差を補正するような形状であることを特徴とする請求項１１に記載のピックアップ装置。
【請求項１３】
前記非球面ミラーは、ガラスとプラスチックとのうち少なくとも１つを選択して構成されたことを特徴とする請求項１１または１２に記載のピックアップ装置。
【請求項１４】
前記対物レンズと前記立ち上げミラーとが２軸アクチュエーターの可動部に一体構成されたことを特徴とする請求項１〜１３のいずれかに記載のピックアップ装置。
【請求項１５】
前記２軸アクチュエーターのトラッキング方向と、前記立ち上げミラーに入射する光束の方向とを略一致するように構成されたことを特徴とする請求項１４に記載のピックアップ装置。
【発明の詳細な説明】
【０００１】
【発明の属する技術分野】
本発明は、情報記録媒体の記録再生に用いられるピックアップ装置に関し、特にＤＶＤ，次世代の大容量光ディスク，ＣＤ等の記録再生に用いられるピックアップ装置に関する。
【０００２】
【従来の技術】
近年、ハイビジョン映像を２時間記録可能な次世代の大容量光ディスクが検討されている。そこで、現行のＤＶＤと次世代の大容量ディスクとを互換記録再生する装置が要望されている。しかし、ＤＶＤと次世代の大容量光ディスクとを記録再生する記録再生装置に用いられるピックアップ装置において、従来のＤＶＤ／ＣＤコンパチビリティーに関する技術と同様の課題がある。
【０００３】
例えば、１つの対物レンズでコンバチビリティーを実現しようとする場合、各情報記録媒体（光ディスク）のカバー層厚の違い、対物レンズＮＡの違い、光の波長の違いに対して対物レンズの収差をどのように補正するかに関わっている。各情報記録媒体には、表１のような違いがある。
【０００４】
【表１】
2004062953.tif 000003
【０００５】
次世代大容量光ディスク／ＤＶＤのコンバチビリティーの実現は、ＤＶＤ／ＣＤのコンバチビリティーと比べて対物レンズのＮＡが大きいことや、記録再生時における光の波長の比が大きいことからかなり困難である。
このような、次世代大容量光ディスク／ＤＶＤコンパチビリティーに関する技術としては、例えば、文献「ＨＤ／ＤＶＤ　ＣＯＭＰＡＴＩＢＩＬＩＴＹ　ＵＳＩＮＧ　ＨＯＥ　ＩＮＴＥＲＮＡＴＩＯＮＡＬ　ＳＹＭＰＯＳＩＵＭ　ＯＮ　ＯＰＴＩＣＡＬ　ＭＥＭＯＲＹ　２００１，　Ｐｄ−２９，　Ｐ３０４−３０５」に開示されている。
【０００６】
前記文献に開示された技術によれば、対物レンズと透過型のホログラム（前記文献中ではＨＯＥと表記）で形成されたＤＶＤ収差の補正素子とを組み合わせてコンパチビリティーを実現しようとしている。
【０００７】
また、前記文献においては、２種類のホログラムが提案されている。１つは非偏光ホログラムであり、１つは偏光ホログラムである。なお、非偏光ホログラムはＤＶＤ／ＣＤコンパチビリティーの技術において既に実用化されている。また、偏光ホログラムは上記非偏光ホログラムの欠点を改良するものである。
【０００８】
そして、対物レンズは、ＤＶＤを記録再生する場合と同様に単玉のレンズが使われている。これはＤＶＤの記録再生時にもＷＤ（Ｗｏｒｋｉｎｇ　Ｄｉｓｔａｎｃｅ）を確保する必要から来ている。または、次世代大容量光ディスク向けの対物レンズとしては、単玉の対物レンズの他に２枚玉のレンズが使われるが、２枚玉の場合はＷＤが一般的に短く（０．２４ｍｍ以下）ＤＶＤの記録再生時のＷＤが不足してしまう。
【０００９】
ＤＶＤ向けの単玉レンズと比べて、次世代大容量光ディスクの単玉レンズは、ＮＡが大きいため一般的に曲率がきつくなる。また、対物レンズの表面にホログラムを直接形成することは困難とされている。
【００１０】
前記文献においても、ホログラムは対物レンズ上に形成せず、独立した一枚のガラス基板上に形成し、それを立ち上げミラーと対物レンズとの間に配置するようにしている。
【００１１】
【発明が解決しようとする課題】
しかしながら、偏光、非偏光どちらのタイプのホログラムを使うにしろ、対物レンズの他に専用の部品を必要としており、部品点数が多く、そのためコストアップになりやすい。
【００１２】
また、ホログラムがあることによって厚さ方向に余分なスペースが必要になる。さらに、いずれのタイプのホログラムでも対物レンズと一体に駆動するため、ピックアップが厚くなる。そのため、ハーフハイト規格などのピックアップ装置の薄型化の実現が難しい。
【００１３】
また、前記文献のような従来の技術において、特に、非偏光ホログラムでは回折効率が低い。これによって透過光量の損失や迷光の発生が起こりＳ／Ｎの低下が懸念される。ＤＶＤ／ＣＤでは波長比が比較的１に近く（波長比：６８０ｎｍ／７８０ｎｍ＝０．８３）、したがって回折効率の低下が少なく実用上許容される範囲にある。しかし、次世代大容量光ディスク／ＤＶＤでは波長が離れている（波長比：６５０ｎｍ／４０５ｎｍ＝０．６２３）ために、同じ次数の回折光を使う場合、両方の回折効率を高くできない。前記文献では、非偏光ホログラムを使った場合において、理論値と測定値が異なっているがいずれも８０％程度の値にとどまっている。
【００１４】
これは、最適の回折効率が与えられるホログラムの深さが、波長によって一義的に決まるためであり、異なる２波長で使う場合には中間的な深さでバランスをとるほかに方法がないためである。これは使うレーザーの波長変化に対して敏感に変動することを意味しており、ばらつきが大きくなる原因になる。
【００１５】
上記の回折効率を改善するために、偏光ホログラムが提案されており、次世代大容量光ディスクが０次光、ＤＶＤが１次光の回折次数を使える。
しかし、この偏光ホログラムにおいても前記文献によれば、理論値は良くても実測値はかなり低下する。これはホログラムの製造誤差に起因する低下であり、透過型のホログラムではある程度避けられないハンデになる。
なお、これらの数値は一回の透過での理論値、計算値であり、検出系に戻る光の透過率はこの効率の２乗である。
【００１６】
偏光ホログラムでは、光ディスクに入射する光の偏光状態が直線偏光となる。直線偏光で光ディスクに入射させる場合は、光ディスクの複屈折やピット形状による影響を受けやすく、円偏光と比べて所謂プレイアビリティが劣ると一般的に言われている。このため、ＤＶＤ用のピックアップ装置においては、円偏光あるいは楕円偏光で光ディスクに入射させる場合が多い。
【００１７】
上述のような、従来の技術においては透過型のホログラムを使用するために、赤色レーザー、青色レーザー両波長の回折効率を高くする必要があった。そのため、両波長の回折効率のバランスをとったホログラムの設計にならざるを得ず、十分に高い効率を得ることは難しかった。また、ホログラムの深さの違いや波長の違いに対して、敏感で安定した回折効率を得ることは困難である。
【００１８】
本発明は、上述の事情を考慮してなされたもので、必要な部品点数が少なく、低コストに製造することが可能で、小型薄型に適しているピックアップ装置を提供することを目的とする。
【００１９】
【課題を解決するための手段】
前述した目的を達成するために、請求項１に記載の発明は、波長帯域の異なる２つの光源と、前記２つの光源からの光を反射する立ち上げミラーと、前記立ち上げミラーが反射した光を情報記録媒体上に集光する対物レンズとを有し、前記立ち上げミラーは、透明基板の両面にそれぞれミラーを備え、前記透明基板の一方の面に備えられた第１のミラーは、前記２つの光源のうち波長の短い帯域の光源の光を反射し、前記２つの光源のうち波長の長い帯域の光源の光を透過するように形成され、前記透明基板の他方の面に備えられた第２のミラーは、前記波長の長い帯域の光源の光を反射するように形成され、前記第１のミラーが対物レンズに対面するように前記立ち上げミラーが配置されたことを特徴とする。
【００２０】
【発明の実施の形態】
以下、本発明に係る実施の形態を図面に基づいて説明する。
図１は、実施の形態に係るピックアップ装置の光学系の構成図である。
図１に示すように、ピックアップ装置１は、青色レーザー光源２Ａ（波長の短い帯域の光源）、赤色レーザー光源２Ｂ（波長の長い帯域の光源）、色合成プリズム３、ビームスプリッタ４、コリメータレンズ５、４分の１波長板６、立ち上げミラー１１、対物レンズ７、検出レンズ９、検出ディテクタ１０を備えて構成されている。
【００２１】
このピックアップ装置１は、その光学系の構成を図１に示すように、情報記録媒体８の記録再生を行うために用いられる装置であり、この情報記録媒体８は、次世代大容量光ディスクあるいはＤＶＤ光ディスクなどの光ディスクである。これらの光ディスクは、記録層と光透過層とを有する積層構造を有し、透明な光透過層から記録層に光が照射されることで、情報の書き込み又は読み出しが行われる。
【００２２】
本実施の形態に係るピックアップ装置１の光源は、波長帯域の異なる２つの光源として、次世代大容量光ディスクの記録再生に用いられる波長帯域が４０５ｎｍ付近の青色レーザー光源２Ａ（波長の短い帯域の光源）と、ＤＶＤの記録再生に用いられる波長帯域が６５０ｎｍ付近の赤色レーザー光源２Ｂ（波長の長い帯域の光源）とが備えられている。
【００２３】
色合成プリズム３は、異なる方向から来るレーザー光をほぼ同一な方向にそろえる目的で使われ、赤色レーザー光を透過し、青色レーザー光を反射する特性を有している。色合成プリズム３を透過したレーザー光は、ビームスプリッタ４を透過し、コリメータレンズ５で平行光になり、４分の１波長板６を透過後、立ち上げミラー１１を経て、対物レンズ７に入射し情報記録媒体８上にスポットを結ぶ。
【００２４】
情報記録媒体８で反射したレーザー光は対物レンズ７、立ち上げミラー１１、４分の１波長板６、コリメータレンズ５を透過後、ビームスプリッタ４で反射される。反射後、検出レンズ９を透過して検出ディテクタ１０に入射する。図１では１つの検出ディテクタ１０を使う例を示しているが、赤色レーザー用、青色レーザー用の検出ディテクタをそれぞれ用意しても良い。また、光源系（青色レーザー光源２Ａ、赤色レーザー光源２Ｂ、色合成プリズム３）と検出系（ビームスプリッタ４、検出レンズ９、検出ディテクタ１０）とを一体化したモジュールを使っても良い。
【００２５】
次に、立ち上げミラー１１について説明する。図２は、立ち上げミラー１１を示す模式図であり、（ａ）はホロタイグラムミラーを使ったタイプ（１１−１）、（ｂ）は非球面ミラーを使ったタイプ（１１−２）を示す図である。
【００２６】
立ち上げミラー１１は、図２に示すように、略平行な透明基板１１Ａの両面にそれぞれミラー（第１のミラーと第２のミラー）が形成されており、一方の面（表面）に形成されたダイクロイックミラー１１Ｂ（第１のミラー）は青色レーザー光を反射し、赤色レーザー光を透過するように形成され、他方の面（裏面）に備えられたホログラムミラー１１Ｃ（図２（ａ）の第２のミラー）あるいは非球面ミラー１１Ｄ（図２（ｂ）の第２のミラー）は、赤色レーザー光を反射するように形成されている。
【００２７】
次に、このような立ち上げミラー１１の記録再生時の動作を第２のミラーがホログラムミラー１１Ｃの例を用いて説明する。図３において、（ａ）は次世代大容量光ディスク記録再生時のホログラムミラーの動作、（ｂ）はＤＶＤ記録再生時のホログラムミラーの動作を示している。
【００２８】
図３（ａ）に示すように、次世代大容量光ディスクの記録再生時は、４０５ｎｍ付近の帯域の青色レーザーを使用するため、表面のダイクロイックミラー１１Ｂで反射し、そのまま対物レンズ７に入射する。対物レンズ７は次世代大容量光ディスク用に設計されており、情報記録媒体８の記録面上に良好なスポットを形成する。
【００２９】
図３（ｂ）に示すように、ＤＶＤの記録再生時は、６５０ｎｍ付近の帯域の赤色レーザーを使用するため、表面のダイクロイックミラー１１Ｂを透過し、裏面のホログラムミラー１１Ｃに入射する。この入射光はホログラムで回折され、同時に赤色レーザー光に対して反射するような反射層が設けられているのでここで反射し、再び表面に戻る。表面はダイクロイックミラー１１Ｂであるので透過し、その後、対物レンズ７に入射し、情報記録媒体８の記録面上に良好なスポットを形成する。
【００３０】
ホログラムミラー１１Ｃのホログラムは例えば、図４に示すような同心円状のパターンが形成されている。このパターンは、対物レンズ７がＤＶＤを記録再生するときに発生する収差（球面収差、色収差）を補正する回折機能を有するように、予め設計されているので、ＤＶＤに対しても記録再生面上で良好なスポットを結ぶことができる。
このホログラムパターンの位相関数を図５に示し、一設計例における係数ＤＦｉの値を表２に示す。また、このようにして得られたホログラムの軸外特性（光軸外の特性）を図６に示す。図６において、縦軸（ＷＦＥ）は球面収差、色収差等の収差を合成し正規化した値である。横軸（Ｈａｌｆ　Ｆｉｅｌｄ　Ａｎｇｌｅ）は光軸の入射角度である。なお、ここでλ０は定数（設計波長）であり、λ０＝６５０［ｎｍ］である。
【００３１】
【表２】
2004062953.tif 000004
【００３２】
ホログラムミラー１１Ｃはガラスとプラスチックとのうち少なくとも１つを選択して構成されている。例えば、ホログラム面は、ガラスあるいはプラスチックで、フォトマスクを用いたエッチング工程によるフォトリソグラフィー加工や、インジェクションモールドで形成される。あるいは、ガラス基板上に２Ｐ（フォトポリマー）等のプラスチックを成形してホログラムを形成することもできる。
【００３３】
一方、表面のダイクロイックミラー１１Ｂは通常、蒸着やスパッタリング等のコーティング技術を使って、誘電体薄膜を積層させたいわゆる光学多層膜で形成される。
これに対し、裏面のホログラムミラー１１Ｃはホログラムパターンの上に光学多層膜かアルミや銀などの金属反射膜をコーティングして形成される。
【００３４】
また、図４に示すようなホログラムパターンは、ＤＶＤ再生に適した開口寸法に制限され、その外側は対物レンズの集光に寄与しないように、開口内と峻別するホログラムパターンが形成されており、具体的に以下説明する。
【００３５】
上記開口寸法は、対物レンズ７の有効径を意味し、
対物レンズの有効径＝対物レンズのＮＡ×対物レンズの焦点距離×２である。
本実施の形態では、立ち上げミラー１１でＤＶＤ、次世代大容量光ディスクのコンパチビリティーを実現しているので、焦点距離が同じでＮＡが異なる。ＤＶＤの場合はＮＡが小さいため、有効径（開口寸法）を制限する必要がある。
例えば、それぞれの有効径（開口寸法）は、
ＤＶＤの開口寸法は２．１＝０．６０×１．７７（ｍｍ）×２
次世代大容量光ディスクの開口寸法は３．０＝０．８５×１．７７（ｍｍ）×２
となる。
【００３６】
このため、光学系中に開口制限する機能を盛り込む必要があるが、本実施の形態においては、立ち上げミラー１１のホログラムミラー１１Ｃ上で開口を制限する。このとき、ホログラムパターンは、円形を４５度に投影した楕円形状（図４参照）となる。図４のホログラムパターンを４５度斜面に投影した最外円（太線で示した円）が開口寸法となる。そして、最外円の外側に別途、開口内と峻別するホログラムパターン（図示せず）を形成する。
【００３７】
この開口内と峻別するホログラムパターンとしては、例えば、最外円の外部に、光を拡散するスリ面にする、面に傾斜をつける、面に曲面をつける、反射面がない、異なる方向に回折するような回折パターン等を形成する。
【００３８】
図４に示した前述のホログラムパターンは、立体的に見ると鋸歯状（ブレーズ形状）あるいは擬似的な鋸歯状の形状を有している（図４の同心円が鋸歯の頂点に相当する）。この理由は、ホログラムの回折効率を高めるためには、鋸歯状にホログラムを形成することが有効であるからである。本実施の形態においては、図７に示すような、鋸歯状に形成することが望ましい。この形状の場合、理論的な回折効率は１００％になる。
【００３９】
あるいは、図８に示すような、擬似的な多段階ステップの鋸歯形状でも良い。このような形状は、例えば複数枚のフォトマスクを使い、エッチング工程を繰り返すことによって形成できる。フォトマスク３枚（８ステップ）での回折効率は理論値で９５％になる。
【００４０】
上述した実施の形態ではホログラムミラーを使った場合について説明したが、図２（ｂ）の非球面タイプで示すような、非球面形状を有しかつ赤色レーザーの光を反射するようにした非球面ミラー１１Ｄを使用しても同様の効果が得られる。
【００４１】
非球面ミラー１１Ｄを使用した場合も、立ち上げミラー１１の表面は、ホログラムミラー１１Ｃの場合と同様に、青色レーザー反射、赤色レーザー透過のダイクロイックミラーを備える。また、ピックアップ装置１の構成は図１に示した構成と同様である。そして、非球面ミラー１１Ｄの非球面は対物レンズ７がＤＶＤを記録再生するときに発生する収差を補正する機能を有するものである。
【００４２】
この非球面ミラーの一設計例における係数ＡＳｉの値を表３に示す。
軸外特性を図１０に示す。
この非球面の式を図９に示し、一設計例における係数ＡＳｉの値を表３に示す。また、このようにして得られたの非球面ミラーの軸外特性（光軸外の特性）を図１０に示す。図１０において、縦軸（ＷＦＥ）は球面収差、色収差等の収差を合成し正規化した値である。横軸（Ｈａｌｆ　Ｆｉｅｌｄ　Ａｎｇｌｅ）は光軸の入射角度である。
【００４３】
【表３】
2004062953.tif 000005
【００４４】
上記非球面ミラーの基板はガラス或いはプラスチックのインジェクション又はプレスの成型で作成する。他には、ガラスの平行平面基板に２Ｐなどのプラスチック材料で非球面を形成しても良い。
【００４５】
ところで、本実施の形態において、４分の１波長板６は、赤色レーザーと青色レーザーとの両方の波長帯域に対して作用する必要がある。
これを満たすためには位相板の位相差△ｎｄ≒（２ｎ−１）λ／４を上記の２波長帯域で満足すればよい（△ｎ：屈折率差、ｄ：位相板の厚さ、ｎ：整数、
λ：波長）。
例えば、λ＝４０５ｎｍ、ｎ＝３で△ｎｄ＝５０６ｎｍとなり、
λ＝６５０ｎｍに対してはｎ＝２．０６でほぼｎ≒２の条件を満たす。
【００４６】
図１１に示すように、立ち上げミラー１１に入射する赤色レーザー光束の中心と青色レーザー光束の中心とを適切量お互いにずらすようにする。反射後に対物レンズ７に入射する光束を赤色レーザーと青色レーザーで一致させるためには、立ち上げミラー１１に入射する光束を予めずらす必要がある。
【００４７】
青色レーザーは立ち上げミラー表面のダイクロイックミラー１１Ｂで反射し、赤色レーザーは立ち上げミラー裏面のホログラムミラー１１Ｃで反射するので、光束のずれが発生する。その光束のずれ量ｄは立ち上げミラー１１の厚さｔ、屈折率ｎとして、立ち上げミラーの角度θが４５°のとき、ｄ＝ｔ／ｎである（角度θに対し、ｄ＝（２ｔｓｉｎ２θ）／ｎ）。例えばｔ＝１．２ｍｍ、ｎ＝１．６とすればｄ＝０．７５ｍｍずらす必要がある。厳密に一致させる必要はないが、光量分布の影響が出ることを抑えるために、所定の範囲でずらさなければならない。
【００４８】
ずらす方向は、図１１における上下方向であり、次世代大容量光ディスク用の光（青色レーザー）が上方（対物レンズ７側）になるようにする。ずらした量の許容幅は０．５ｍｍ程度で、その周囲であれば光量分布の影響は少ない。
【００４９】
本実施の形態は、以上のように、次世代大容量光ディスクとＤＶＤとのコンパチビリティーを実現するについて述べてきたが、加えてＣＤのコンパチビリティーを妨げるものではない。裏面のホログラムミラーのパターンを、ＤＶＤとＣＤとのコンパチビリティーを確保しうるのに適したホログラムパターンとすればよい。
【００５０】
このような構成により、次世代大容量光ディスクとＤＶＤとのコンパチビリティーに加えてＣＤ−Ｒの記録再生も可能とすることができる。このため、ＣＤ−Ｒ記録再生に適した７８０ｎｍ付近のレーザー光源（赤色外光源）を加える。
図１２にＤＶＤ用の光源とＣＤの光源を一つのパッケージに納めた（ピックアップ装置のコンパクト化が図れる）いわゆる２波長レーザー２Ｃを用いたピックアップ装置１Ａを示す。この場合、ホログラムパターンはＤＶＤとともにＣＤ−Ｒ記録再生用にも適したパターンとすればよい。
【００５１】
次に、本実施の形態に係るピックアップ装置の２軸アクチュエーターについて説明する。図１３（ａ）は、ピックアップ装置の２軸アクチュエーターの構造の一例を示す斜視図、図１３（ｂ）は対物レンズと立ち上げミラーとを別体にした可動部の一例を示す斜視図である。
図１３（ａ）において、２軸アクチュエーター２０の可動部１２は、対物レンズを保持し、フォーカス方向Ｆとトラッキング方向Ｔの２軸に沿って動くように構成されているものであり、その側面にコイル１５を備えている。また、支持バネ１４を介して固定部と連結している。この可動部１２を台１７のマグネット１６、１６の間に配置することにより、コイル１５、１５によりフォーカス方向Ｆとトラッキング方向Ｔとに動かすことができる。
【００５２】
通常のピックアップ装置では、図１３（ｂ）に示したように、立ち上げミラー１１は可動部１２に固定されていない。そして、ピックアップ装置の薄型化を図るために、対物レンズ７を可動部１２の上方に配置し、下方を大きく切り欠いた構造になっている。このような構造は、剛性を高くとることが難しく、不要な共振が発生することが多い。また、それを避けるために、構造物を厚くすると重量が重くなり、所望の所望の感度が得られにくくなる。
【００５３】
これに対し、本実施の形態においては、図１４または図１５に示すように、可動部１２に対物レンズ７と立ち上げミラー１１とを一体構成とする。図１４または図１５に示すように、可動部１２に対物レンズ７と立ち上げミラー１１とを一体構成とすることによって、構造物が薄くなっても高い剛性を維持でき、アクチュエータに好適な特性が得られやすい。
【００５４】
また、対物レンズ７と立ち上げミラー１１が一体構成となっていない場合は、フォーカス方向Ｆに沿って上下させる際に、対物レンズ７と立ち上げミラー１１の衝突に対し、マージンを見込んで回避するための空間が必要であるが、一体構成とした場合は、上記空間が不要となり一層薄型化に有効となる。
【００５５】
次に、トラッキング方向Ｔと立ち上げミラー１１へのレーザー光の入射方向Ｌとの関係について述べる。図１４は、対物レンズ７と立ち上げミラー１１とを一体構成にした可動部１２が、トラッキング方向Ｔと入射方向Ｌを平行となるように形成した例であり、図１５は直交するように形成した例を示している。
【００５６】
トラッキング方向Ｔに沿って、可動部１２が動いたときに、入射方向Ｌから入射する光束の位置が変わらないことが望ましい。そのため、トラッキング方向Ｔと立ち上げミラー１１への入射方向Ｌの方向は、略平行であることが望ましい。したがって、図１４の方がより好ましい。
【００５７】
以上説明したように、本実施の形態は、立ち上げミラー１１を異なった規格の光ディスク（情報記録媒体）に対するコンパチビリティーを得るための部品として使用するので、部品点数としては、単一規格の光ディスクのみを使用するピックアップ装置と同じである。
【００５８】
よって、従来の複数の規格の光ディスクを使用するピックアップ装置は、コンパチビリティーを得るための部品が備えられていたのに対し、本実施の形態に係るピックアップ装置は、必要な部品点数が少なく、低コストに製造することが可能である。
【００５９】
また、従来の複数の規格の光ディスクを使用するピックアップ装置においては対物レンズの下方にコンパチビリティーを得るための部品が配置されるため、薄型化に適さなかったが、本実施の形態は、このような部品が必要ないので、小型薄型に適している。
さらに、２軸アクチュエーターの可動部１２に、対物レンズ７と立ち上げミラー１１とを一体構成した場合には、さらなる薄型化が可能になる。
【００６０】
本実施の形態においては表面で青色レーザーの反射、裏面で赤色レーザーの反射となるように、機能を分離したことで高い回折効率が可能になる。表面での反射はダイクロイックミラーの特性によるが容易に１００％近い効率が得られる。
【００６１】
したがって、次世代大容量光ディスクにおける効率は次世代大容量光ディスク専用ピックアップと同程度に高い。一方、ＤＶＤにおいても裏面のホログラムが赤色レーザー専用で設計すれば良く、波長依存性や、製造誤差に関する回折効率の劣化を低く抑えることが可能となり高効率が期待できる。
【図面の簡単な説明】
【図１】実施の形態に係るピックアップ装置の光学系の構成図である。
【図２】図１の立ち上げミラーを示す図であり、（ａ）はホロタイグラムミラーを使ったタイプ（１１−１）、（ｂ）は非球面ミラーを使ったタイプ（１１−２）を示す。
【図３】実施の形態における次世代大容量光ディスク記録再生時のホログラムミラーの動作（ａ）、ＤＶＤ記録再生時のホログラムミラーの動作（ｂ）を示す図である。
【図４】実施の形態におけるホログラムミラーに形成されたパターンである。
【図５】実施の形態におけるホログラムミラーの位相関数である。
【図６】実施の形態におけるホログラムミラーの軸外特性である。
【図７】図４のホログラムパターンの立体形状における模式的な側面図であり、鋸歯（ブレーズ）形状の例である。
【図８】図４のホログラムパターンの立体形状における模式的な側面図であり、多段階ステップの鋸歯（ブレーズ）形状の例である。
【図９】実施の形態における非球面ミラーの式である。
【図１０】実施の形態における非球面ミラーの軸外特性である。
【図１１】実施の形態における立ち上げミラーに入射する赤色レーザー光束の中心と青色レーザー光束の中心とを説明するための図である。
【図１２】実施の形態に係るピックアップ装置の２波長レーザー（ＤＶＤ／ＣＤ用）を用の光学系の構成図である。
【図１３】ピックアップ装置の２軸アクチュエーターの構造の一例を示す斜視図（ａ）、対物レンズと立ち上げミラーとを別体にした可動部の一例を示す斜視図（ｂ）である。
【図１４】実施の形態における対物レンズと立ち上げミラーとを一体構成にした可動部が、トラッキング方向Ｔと入射方向Ｌとを平行となるように形成した例を示す斜視図である。
【図１５】実施の形態における対物レンズと立ち上げミラーとを一体構成にした可動部が、トラッキング方向Ｔと入射方向Ｌとを直交するように形成した例を示す斜視図である。
【符号の説明】
１　ピックアップ装置
２Ａ　青色レーザー光源
２Ｂ　赤色レーザー光源
３　色合成プリズム
４　ビームスプリッタ
５　コリメータレンズ
６　４分の１波長板
７　対物レンズ
８　情報記録媒体
９　検出レンズ
１０　検出ディテクタ
１１　ミラー
１１Ａ　透明基板
１１Ｂ　ダイクロイックミラー
１１Ｃ　ホログラムミラー
１１Ｄ　非球面ミラー
１２　可動部
２０　２軸アクチュエーター
【図１】
2004062953.tif 000006
【図２】
2004062953.tif 000007
【図３】
2004062953.tif 000008
【図４】
2004062953.tif 000009
【図５】
2004062953.tif 000010
【図６】
2004062953.tif 000011
【図７】
2004062953.tif 000012
【図８】
2004062953.tif 000013
【図９】
2004062953.tif 000014
【図１０】
2004062953.tif 000015
【図１１】
2004062953.tif 000016
【図１２】
2004062953.tif 000017
【図１３】
2004062953.tif 000018
【図１４】
2004062953.tif 000019
【図１５】
2004062953.tif 000020